(57)【要約】【課題】清拭シートの作業効率に優れた吸収性物品用の包装材を提供すること。【解決手段】本発明の吸収性物品用の包装材は、吸収性物品を包装するシート状の包装材１であって、その一部は、繊維形状を有し、清拭シート３として使用可能な吸収性物品用の包装材である。本発明の吸収性物品用の包装材は、包装材１の主体となる包装シート２と清拭シート３とからなり、包装シート３はくり抜き部２１を有し、清拭シート３はくり抜き部２１を塞ぐように包装シート２に接合されていることが好ましい。【選択図】図１
2008125845.tif 000002
【特許請求の範囲】
【請求項１】
吸収性物品を包装するシート状の包装材であって、その一部は、繊維形状を有し、清拭シートとして使用可能な吸収性物品用の包装材。
【請求項２】
前記包装材の主体となる包装シートと前記清拭シートとからなり、該包装シートはくり抜き部を有し、該清拭シートは該くり抜き部を塞ぐように該包装シートに接合されている請求項１記載の吸収性物品用の包装材。
【請求項３】
前記包装材の主体となる包装シートと前記清拭シートとからなり、該清拭シートは、該包装シートの一面に該包装シートの周縁から延出することなく接合されている請求項１又は２に記載の吸収性物品用の包装材。
【請求項４】
前記包装材の主体となる包装シートと前記清拭シートとからなり、該清拭シートは、該包装シートに該包装シートから延出して接合されている請求項１又は２に記載の吸収性物品用の包装材。
【請求項５】
前記清拭シートは乾式清拭シートである請求項１〜４の何れかに記載の吸収性物品用の包装材。
【発明の詳細な説明】
【技術分野】
【０００１】
本発明は、生理用ナプキン等の吸収性物品を包装するシート状の包装材に関する。
【背景技術】
【０００２】
生理用ナプキン、パンティライナー（おりものシート）、使い捨ておむつ等の吸収性物品は、多くの場合、１個ごと包装材によって個装されて市販されている。そして、吸収性物品は包装材から取り出してから着用され、包装材は廃棄される。
ところで、吸収性物品の着用前に、着用者の肌に付着した経血や排泄物を清拭シートで拭き取ることが行われている。その際、清拭シートを別途用意する必要があり、不便であった。
このような不便を解消するために、包装材からなる包装袋の中に、吸収性物品と共に清拭シートを同梱する技術が開示されている（例えば、下記特許文献１，２参照）
【０００３】
【特許文献１】実開平３−１３１３０号公報
【特許文献２】実開平２−１１２３号公報
【発明の開示】
【発明が解決しようとする課題】
【０００４】
しかし、特許文献１，２に記載の技術においては、清拭シートを使用する前に、包装袋を開封する作業と包装袋から清拭シートを取り出す作業が必要であり、作業効率が高くなかった。また、個々の製品（又は個別の包装形態）を持ち出して使用する場合には、包装袋ごと持ち歩くことは通常なく、清拭シートを別途持たなければならなかったため、清拭シートを持ち出すことを忘れたり、持ち出しを躊躇することがあり、実際に使用されないことがあった。
【０００５】
従って、本発明の目的は、清拭シートの作業効率に優れた吸収性物品用の包装材を提供することにある。
【課題を解決するための手段】
【０００６】
本発明は、吸収性物品を包装するシート状の包装材であって、その一部は、繊維形状を有し、清拭シートとして使用可能な吸収性物品用の包装材を提供することにより、上記目的を達成したものである。
【発明の効果】
【０００７】
本発明の吸収性物品用の包装材によれば、包装構造を開封するだけで清拭シートを用いて清拭作業を行うことができるため、清拭シートの作業効率に優れている。
【発明を実施するための最良の形態】
【０００８】
以下、本発明の吸収性物品用の包装材について、その好ましい一実施形態である第１実施形態に基づき、図面を参照しながら説明する。
本発明の吸収性物品用の包装材は、吸収性物品を包装するシート状の包装材であって、その一部は、繊維形状を有し、清拭シートとして使用可能なものである。
第１実施形態の包装材１は、図１及び図２に示すように、包装材１の主体となる包装シート２と、繊維形状を有する清拭シート３とからなる。包装シート２はくり抜き部２１を有し、清拭シート３はくり抜き部２１を塞ぐように包装シート２に接合されている。
【０００９】
詳述すると、包装シート２は、図１及び図２（ａ）に示すように、吸収性物品を包装し得る外形形状を有している必要があり、本実施形態においては、吸収性物品を包装し得る長さ及び幅を有する矩形状を有している。
包装シート２は、その中央部に矩形状のくり抜き部２１を有している。くり抜き部２１は、清拭シート３の大きさよりも一回り小さい大きさを有しており、そのため、包装シート２におけるくり抜き部２１の周縁部の接合代２２において、清拭シート３を接合できるようになっている。
包装シート２の長さは、好ましくは１２〜４０ｃｍであり、包装シート２の幅は、好ましくは６〜１５ｃｍである。くり抜き部２１の長さは、好ましくは４〜１４ｃｍであり、くり抜き部２１の幅は、好ましくは３〜９ｃｍである。
【００１０】
包装シート２の材料としては、吸収性物品用の包装材を形成するシートとして用いられている材料を特に制限されることなく用いることができる。例えば、厚さ５〜５０μｍのポリプロピレン、ポリエステル、ポリエチレン、ポリビニルアルコール、不織布若しくは紙、又はこれらの複合材料等が挙げられる。
包装シート２の内面には剥離処理がなされていることが好ましい。剥離処理は、例えば、包装シート２の内面全面に、剥離処理剤を塗布するか、又は剥離テープ、剥離紙、剥離処理した不織布、剥離処理したポリエチレンラミネート紙若しくは剥離処理したポリエチレンフィルム等の剥離部材を貼付する等して行うことができる。
剥離処理剤又は剥離部材の剥離剤成分としては、例えば、シリコーン樹脂系、フッソ樹脂系、又はオクタデシルイソシアネート系のものが好ましい。特に、剥離処理としては、前記剥離剤成分としてシリコーン樹脂系のものを、塗布して加熱乾燥、紫外線照射等により高分子量化するか、又はスプレーで吹き付け、薄い被膜を形成させる方法が好ましい。
【００１１】
清拭シート３は、清拭に適した形状及び大きさを有していることが好ましく、本実施形態においては、図１及び図２（ｂ）に示すように、包装シート２のくり抜き部２１よりも一回り大きい大きさの矩形状を有している。清拭シート３は、くり抜き部２１の周縁部の接合代２２において、くり抜き部２１を塞ぐように包装シート２の内面側（包装時における内面側）に接合されている。そのため、清拭シート３は、その一部（内方部）が、包装シート２の外面側（包装時における外面側）にも露出している。包装シート２と清拭シート３との接合には、例えば、ヒートシール、ホットメルト型接着剤が用いられる。
また、別の見方をすると、清拭シート３は、包装シート２の一面（内面）に包装シート２の周縁から延出することなく接合されている。
【００１２】
清拭シート３の長さは、好ましくは５〜１５ｃｍであり、清拭シート３の幅は、好ましくは４〜１０ｃｍである。
尚、清拭シート３は、折り畳まれた形態で包装シート２に接合されていてもよく、その場合、折り畳まれた形態において、前述の長さ及び幅の好ましい範囲が適用される。
包装材１全体の内面の面積に対する清拭シート３の面積の割合は、拭き取りのし易さの観点から好ましくは４０％以上、更に好ましくは５０％以上である。
【００１３】
清拭シート３は、包装シート２と一体化されているので、乾式（ドライタイプ）の清拭シートが好ましく用いられる。
清拭シート３としては、肌触り及び捕集性の良さから、微小な空間構造を有するメルトブロー不織布や水流等により同様に微小な空間構造を有するスパンレース不織布が好ましい。
メルトブロー不織布では、清浄効果を向上させるために、べたつきを感じない程度に界面活性剤が配合されていてもよく、また、柔軟性の観点から、ポリエチレンやポリプロピレン樹脂を使用することが好ましい。
【００１４】
スパンレース不織布としては、嵩高性により捕集性を向上させる観点から、ポリプロピレンやポリエステルの合成繊維を用いることが好ましく、液状物を捕集する観点からは、パルプやレーヨン等の親水性繊維が配合されていることが好ましく、拭き取り効果を高める観点からは、分割繊維等の繊維を用いることが好ましい。特に、肌と触れる表面近傍に微小繊維が配合され且つ層内部に嵩高繊維及び親水性繊維が配合されている場合には、拭き取り性と捕集性に優れたものとなる。また、水溶性や水膨潤性の材料を配合して（例えば、分割繊維の一成分をポリビニルアセテートとする）、繊維交絡させた場合には、水崩壊性を得ることができる点から、より好ましい。
【００１５】
第１実施形態の包装材１によれば、例えば、生理用ナプキンＮを包装材１の一面に載置し、図３に示すように、所定の折り畳み形状に折り畳んだ後、図４に示すように、包装材１（包装シート２）の長手方向一端部に止着された止着テープ４を用いて、包装形態を維持することができる。また、包装材１の長手方向両側部１１は、ヒートシール等により弱シールされて封止されている。
【００１６】
以上の構成を有する第１実施形態の包装材１は、清拭シート３がくり抜き部２１を塞ぐように包装シート２に接合される形態で、その一部が繊維形状を有し、清拭シートとして使用可能となっている。そのため、包装構造を開封すると、包装材１の一部を構成する清拭シート３を用いて清拭作業を行うことができる。そのため、清拭シートの作業効率に優れている。
また、清拭シート３の一部が包装シート２の外面側にも露出しているため、清拭シート３の両面を用いて清拭を行うことができる。場合によっては、包装構造を開封することなく、包装構造の外面に露出している清拭シート３を用いて清拭を行うこともできる。
【００１７】
次に、本発明の包装材の他の実施形態について説明する。他の実施形態については、上述した第１実施形態と異なる点を主として説明し、同様の点は同一の符号を付して説明を省略する。特に説明しない点は、第１実施形態についての説明が適宜適用される。他の実施形態においても、第１実施形態と同様の効果が奏される。
【００１８】
第２実施形態の包装材１は、図５に示すように、第１実施形態に比して、包装シート２にくり抜き部２１が設けられていない点が異なる。
【００１９】
このため、包装材１全体の内面の面積に対する清拭シート３の面積の割合は、拭き取りのし易さの観点から好ましくは４０％以上、更に好ましくは５０％以上である。また、個装形態の安定性、即ちその側部の封止性の観点からは、側部のヒートシール部分に清拭シート３がないことが好ましく、ヒートシール部分における清拭シート３以外の部分の面積の割合は９５％以下、更に好ましくは９０％以下である。ただし、清拭シート３に合成繊維や接着剤が用いられている場合には、清拭シート３と共にヒートシールをしたとしても個装形態の側部の封止性を確保可能なため、前述の好ましい面積の割合の範囲に限られない。
【００２０】
その他の構成については、第１実施形態と同様である。従って、第２実施形態においては、包装シート２の外面側に清拭シート３が露出していない。
【００２１】
第３実施形態の包装材１は、図６に示すように、第２実施形態に比して、清拭シート３が、包装シート２に包装シート２から延出して接合されている点が主として異なる。第３実施形態においては、矩形状の清拭シート３の長手方向一端部と、清拭シート３と同形の包装シート２の長手方向一端部とが接合されており、そのため、包装材１全体の形状は矩形状となり、包装材１全体の長さは、接合代を除いて、清拭シート３の長さと包装シート２の長さとの和とほぼ同じになっている。
【００２２】
第３実施形態の包装材１によれば、例えば、包装シート２側を掴んで、清拭シート３の両面を用いて清拭を行うことができる。
尚、清拭シート３が包装シート２から延出する他の形態としては、例えば、清拭シート３の全周縁（清拭シート３が矩形状の場合は四辺）が包装シート２から延出する形態、矩形状の清拭シート３の二辺が包装シート２から延出する形態が挙げられる（何れも図示せず）。
【００２３】
第４実施形態の包装材１は、図７に示すように、第２実施形態に比して、清拭シート３が包装シート２の一面に両者の周縁を一致させて接合されている点が主として異なる。即ち、第４実施形態においては、同形の清拭シート３と包装シート２との積層シートとなっている。
第４実施形態の包装材１によれば、包装材１の一面全体に設けられた清拭シート３を用いて、簡便に清拭を行うことができる。
【００２４】
本発明の包装材は、前述した実施形態に制限されることなく、本発明の趣旨を逸脱しない限り適宜変更が可能である。
例えば、くり抜き部２１を有していない包装シート２の内面側及び外面側の両面に清拭シート３を接合することができる。
包装シート２、くり抜き部２１及び清拭シート３の形状は、矩形状に制限されない。
本発明の包装材は、生理用ナプキン以外にも、例えば、パンティライナー（おりものシート）、失禁パッドの包装に用いることができる。
【図面の簡単な説明】
【００２５】
【図１】図１（ａ）は本発明の第１実施形態の包装材を示す平面図で、図１（ｂ）はその底面図である。
【図２】図２（ａ）は図１に示す包装材における包装シート単体を示す平面図、図２（ｂ）は図１に示す包装材における清拭シート単体を示す平面図である。
【図３】図３は、図１に示す包装材を用いて生理用ナプキンを包装する過程を示す斜視図である。
【図４】図４は、図１に示す包装材を用いて生理用ナプキンを包装した状態を示す斜視図である。
【図５】図５（ａ）は本発明の第２実施形態の包装材を示す平面図で、図５（ｂ）はその底面図である。
【図６】図６は、本発明の第３実施形態の包装材を示す平面図である。
【図７】図７（ａ）は本発明の第４実施形態の包装材を示す平面図で、図７（ｂ）は第４実施形態の包装材を示す底面図である。
【符号の説明】
【００２６】
１  包装材
２  包装シート
２１  くり抜き部
２２  接合代
３  清拭シート
４  止着テープ
Ｎ  生理用ナプキン
【図１】
2008125845.tif 000003
【図２】
2008125845.tif 000004
【図３】
2008125845.tif 000005
【図４】
2008125845.tif 000006
【図５】
2008125845.tif 000007
【図６】
2008125845.tif 000008
【図７】
2008125845.tif 000009